(57)【要約】【課題】  表示部の大きさを変えることなく、主測定信号と日時の読み取りを同時に行うことのできる携帯型測定器およびその表示方法を実現する。【解決手段】  測定値などを表示する表示部と、測定動作の実行などを制御する操作部とを有し、前記表示部により測定の主な対象となる主測定信号の表示と、この主測定信号に関連する補助信号の表示と、日付や時間などを表す日時の表示とを行うようにした携帯型測定器において、前記主測定信号表示は常時表示させるとともに、前記補助信号表示と日時表示とを切り換えて表示させることを特徴とする。【選択図】    図１
2006010362.tif 000002
【特許請求の範囲】
【請求項１】
測定値などを表示する表示部と、測定動作の実行などを制御する操作部とを有し、前記表示部により測定の主な対象となる主測定信号の表示と、この主測定信号に関連する補助信号の表示と、日付や時間などを表す日時の表示とを行うようにした携帯型測定器において、前記主測定信号表示は常時表示させるとともに、前記補助信号表示と日時表示とを切り換えて表示させることを特徴とする携帯型測定器。
【請求項２】
前記日時表示は、日付表示および／または時間表示であることを特徴とする請求項１に記載の携帯型測定器。
【請求項３】
前記表示の切換は、前記操作部における操作キーの操作により行われることを特徴とする請求項１または２に記載の携帯型測定器。
【請求項４】
前記操作キーの操作に応じて、前記補助信号表示と日時表示とを順番に切り換えることを特徴とする請求項３に記載の携帯型測定器。
【請求項５】
前記表示部は、液晶表示器であること特徴とする請求項１乃至４のいずれかに記載の携帯型測定器。
【請求項６】
表示部により測定の主な対象となる主測定信号の表示と、この主測定信号に関連する補助信号の表示と、日付や時間などを表す日時の表示とを行うようにした携帯型測定器の表示方法において、前記主測定信号表示は常時表示させるとともに、前記補助信号表示と日時表示とを切り換えて表示させることを特徴とする携帯型測定器の表示方法。
【請求項７】
前記日時表示は、日付表示および／または時間表示であることを特徴とする請求項６に記載の携帯型測定器の表示方法。
【請求項８】
前記表示の切換は、操作信号に応じて行われることを特徴とする請求項６または７に記載の携帯型測定器の表示方法。
【請求項９】
前記操作信号に応じて、前記補助信号表示と日時表示とを順番に切り換えることを特徴とする請求項８に記載の携帯型測定器の表示方法。
【発明の詳細な説明】
【技術分野】
【０００１】
本発明は、ｐＨ計や導電率計などのように、水質管理の現場において使用される携帯型測定器およびその表示方法に関するものである。
更に詳しくは、このような携帯型測定器において、ｐＨ値や導電率など、測定の主な対象となる主測定信号とともに、この主測定に影響を与える温度（水温）などの補助信号や、日時などを表示する表示方法に関するものである。
【背景技術】
【０００２】
一般に、この種の携帯型測定器においては、主測定信号の表示とともに、日時の表示機能を有してはいるが、主測定信号の表示画面と日時の表示画面とを切り換えて表示するものが多い。
【０００３】
図７は、従来の携帯型測定器における表示画面の一例を示す構成図である。図は、ｐＨ計における表示部（表示画面）５を例示したもので、（ａ）は測定値の表示状態である。図において、５１は主測定信号表示（ｐＨ値）、５２は補助信号表示（温度）、５３は単位表示である。
測定値の表示状態においては、主測定信号表示５１とともに、補助信号表示５２および単位表示５３が表示され、随時、測定の主な対象となる主測定信号（ｐＨ値）が読み取られる。また、補助信号表示５２により、この主測定に影響を与える温度（水温）などを同時に読み取ることができる。
【０００４】
ここで、データの収集に際して、測定日時などを確認する場合には、表示画面が（ｂ）の如き日時の表示状態に切り換えられる。図において、５４は日付表示、５５は時間表示である。
このように、表示画面を適宜切り換えることにより、測定値と日時とを読み取ることができる。
【０００５】
【特許文献１】特開平０５−２４９１４７号公報
【発明の開示】
【発明が解決しようとする課題】
【０００６】
しかしながら、このように主測定信号の表示画面と日時の表示画面とを切り換えてしまうと、日時の表示中には、主測定信号の値を知ることができなくなってしまう。
また、図８に示す如く、測定値の表示５１、５２と日時の表示５６とを同じ画面中に表示させるようにしたものもあるが、携帯型測定器のように、表示部５の大きさに制約がある装置においては、表示する文字の大きさが小さくなってしまい、表示の読み取りに支障をきたしてしまうことになる。
【０００７】
本発明は、上記のような従来装置の欠点をなくし、表示部の大きさを変えることなく、主測定信号と日時の読み取りとを同時に行うことのできる携帯型測定器およびその表示方法を実現することを目的としたものである。
【課題を解決するための手段】
【０００８】
上記のような目的を達成するために、本発明の請求項１では、測定値などを表示する表示部と、測定動作の実行などを制御する操作部とを有し、前記表示部により測定の主な対象となる主測定信号の表示と、この主測定信号に関連する補助信号の表示と、日付や時間などを表す日時の表示とを行うようにした携帯型測定器において、前記主測定信号表示は常時表示させるとともに、前記補助信号表示と日時表示とを切り換えて表示させることを特徴とする。
【０００９】
請求項２では、請求項１の携帯型測定器において、前記日時表示は、日付表示および／または時間表示であることを特徴とする。
【００１０】
請求項３では、請求項１または２の携帯型測定器において、前記表示の切換は、前記操作部における操作キーの操作により行われることを特徴とする。
【００１１】
請求項４では、請求項３の携帯型測定器において、前記操作キーの操作に応じて、前記補助信号表示と日時表示とを順番に切り換えることを特徴とする。
【００１２】
請求項５では、請求項１乃至４のいずれかの携帯型測定器において、前記表示部は、液晶表示器であること特徴とする。
【００１３】
請求項６では、表示部により測定の主な対象となる主測定信号の表示と、この主測定信号に関連する補助信号の表示と、日付や時間などを表す日時の表示とを行うようにした携帯型測定器の表示方法において、前記主測定信号表示は常時表示させるとともに、前記補助信号表示と日時表示とを切り換えて表示させることを特徴とする。
【００１４】
請求項７では、請求項６の携帯型測定器の表示方法において、前記日時表示は、日付表示および／または時間表示であることを特徴とする。
【００１５】
請求項８では、請求項６または７の携帯型測定器の表示方法において、前記表示の切換は、操作信号に応じて行われることを特徴とする。
【００１６】
請求項９では、請求項８の携帯型測定器の表示方法において、前記操作信号に応じて、前記補助信号表示と日時表示とを順番に切り換えることを特徴とする。
【発明の効果】
【００１７】
このように、主測定信号表示は常時表示させるとともに、補助信号表示と日時表示とを切り換えて表示させるようにすると、表示部の大きさを変えることなく、主測定信号と日時の読み取りを同時に行うことができる。
また、表示の切換を操作部における操作キーの操作により行い、この操作キーの操作に応じて、補助信号表示と日時表示とを順番に切り換えるようにすると、操作性に優れた携帯型測定器を実現することができる。
【発明を実施するための最良の形態】
【００１８】
以下、図面を用いて、本発明の携帯型測定器およびその表示方法を説明する。
【実施例１】
【００１９】
図１は、本発明の携帯型測定器およびその表示方法の一実施例を示す構成図である。図において、１は測定器の本体、２は液晶表示器などよりなる表示部、３は操作キー３１を有し、測定動作の実行などを制御する操作部、４はセンサ（図示せず）を取りつけるコネクタ部である。
図に示す携帯型測定器は、導電率計の場合を例示している。
【００２０】
図２〜図４は、表示部２における表示画面の表示状態を示す図である。
図２は、補助信号の表示状態を示す図である。図において、２０は電池残量表示、２１は主測定信号表示（導電率）、２２は補助信号表示（温度）、２３は単位表示、２４は補償情報表示である。導電率計の場合、溶液の導電率は温度（液温）により変化するので、主測定信号表示２１は２５℃に換算した値が表示される。このため、液温を示す補助信号表示２２は重要な情報である。また、補償情報表示２４は温度補償係数が塩化ナトリウム（ＮａＣｌ）用に設定されていることを示している。
【００２１】
図３は、日時の表示状態を示す図である。図において、前記図２と同様のものは同一符号を付して示す。２５は日付表示であり、図示の例では、２００４年２月１２日を示している。
図に示されるように、日付の表示状態においては、前記図２における補助信号表示２２の位置に日付表示２５が表示されており、表示画面には、主測定信号表示２１と日付表示２５とが表示されている。
【００２２】
図４は、日時の表示状態の他の例を示す図である。図において、前記図３と同様のものは同一符号を付して示す。２６は時間表示であり、図示の例では、３時２分を示している。
図に示されるように、時間の表示状態においては、前記図３における日付表示２５（補助信号表示２２）の位置に時間表示２６が表示されており、表示画面には、主測定信号表示２１と時間表示２６とが表示されている。
【００２３】
したがって、補助信号の表示状態および日時の表示状態にかかわらず、主測定信号表示２１は常に表示されていることになり、主測定信号の表示を途切れさせることなく、日時を読み取ることができる。
【００２４】
また、補助信号の表示状態（図２）、日付の表示状態（図３）、時間の表示状態（図４）の切換は、操作キー３１の操作により行われる。すなわち、操作キー３１を押す毎に表示状態が順番に切り換わり、時間の表示状態（図４）からは再度補助信号の表示状態（図２）に移行する。
【００２５】
このように、操作キー３１の操作（操作信号）に応じて表示状態を切り換えるようにすれば、測定動作中においてもワンタッチで日時の確認を行うことができ、操作性に優れた携帯型測定器を実現することができる。
【００２６】
なお、日時の表示に関しては、日付の表示状態（図３）と時間の表示状態（図４）とをともに表示しても良いし、どちらか片方のみを表示するように構成しても良い。また、日付と時間を結合した１つの表示とすることも可能である。
【実施例２】
【００２７】
図５は、本発明の携帯型測定器をｐＨ計とした場合の例を示す表示画面である。図は、表示部２における補助信号の表示状態を示す図である。図において、主測定信号表示２１はｐＨ値を示しており、単位表示２３もｐＨとなっている。また、補助信号表示２２は温度（液温）を示している。
なお、ｐＨ計においては、補償情報表示２４は必要としない。
【００２８】
図６は、表示部２における日時の表示状態の例を示す図である。図において、２６は時間表示であり、図示の例では、３時２分を示している。
これらの表示状態の切換は、前記した場合と同様に、操作キー３１の操作に応じて行われる。
【００２９】
なお、上記説明においては、本発明の携帯型測定器を導電率計またはｐＨ計とした場合を例示したが、主測定の主な対象はこれに限られるものではない。
また、表示部２として液晶表示器を使用した場合を例示したが、表示部２の構成はこれに限られるものではない。
【図面の簡単な説明】
【００３０】
【図１】図１は本発明の携帯型測定器およびその表示方法の一実施例を示す構成図。
【図２】図２は表示部２における補助信号の表示状態を示す図。
【図３】図３は表示部２における日時の表示状態を示す図。（日付表示）
【図４】図４は表示部２における日時の表示状態を示す図。（時間表示）
【図５】図５は本発明の携帯型測定器をｐＨ計とした場合の例を示す表示画面。
【図６】図６は表示部２における日時の表示状態を示す図。（時間表示）
【図７】図７は従来の携帯型測定器における表示画面の一例を示す構成図。
【図８】図８は従来の携帯型測定器における表示画面の他の例を示す構成図。
【符号の説明】
【００３１】
１      本体
２      表示部
２０    電池残量表示
２１    主測定信号表示
２２    補助信号表示
２３    単位表示
２４    補償情報表示
２５    日付表示
２６    時間表示
３      操作部
３１    操作キー
４      コネクタ部
５      表示部
５１    主測定信号表示
５２    補助信号表示
５３    単位表示
５４    日付表示
５５    時間表示
５６    日時表示
【図２】
2006010362.tif 000003
【図３】
2006010362.tif 000004
【図４】
2006010362.tif 000005
【図５】
2006010362.tif 000006
【図６】
2006010362.tif 000007
【図７】
2006010362.tif 000008
【図８】
2006010362.tif 000009
【図１】
2006010362.tif 000010